(57)【特許請求の範囲】
【請求項１】
光源と、光を変調する光変調手段と、を備え、前記光源から出射されて前記光変調手段にて変調された光を投射するプロジェクター装置において、
前記光変調手段へ送風するファンと、
前記光変調手段と前記ファンとの間に設けられ、前記ファンからの風の一部が通過すると共に通路面積が漸次小さくなっているノズルと、を有し、
前記光変調手段を冷却する場合には、前記ファンからの前記ノズルを通過しない低速の風が前記光変調手段へ吹き付けられ、前記光変調手段の異物を除去する場合には、前記ファンからの前記ノズルを通過しない低速の風と、前記ノズルを通過した高速の風とが前記光変調手段へ吹き付けられることを特徴とするプロジェクター装置。
【請求項２】
前記ファンは、光投射が開始される時に自動的に起動され、一定時間経過後に自動的に休止される、ことを特徴とする請求項１に記載のプロジェクター装置。
【請求項３】
前記ファンは、光投射がされている間、間欠的にオンされる、ことを特徴とする請求項１に記載のプロジェクター装置。
【請求項４】
前記ファンは自由なタイミングでオン・オフできるようにした、ことを特徴とする請求項１に記載のプロジェクター装置。
【発明の詳細な説明】
【０００１】
【発明の属する技術分野】
本発明は、光を投射することにより画像を表示するプロジェクター装置に関する。
【０００２】
【従来の技術】
近年、画像を投射して表示するプロジェクター装置が種々の分野で使用されている。このプロジェクター装置は、光源や、液晶パネルやＤＭＤ等の光変調デバイスを備えており、光源から出射されて該光変調デバイスにて変調された光を投射するように構成されている。このプロジェクター装置は、
・  カラー表示化が簡単で、各光変調デバイスにカラーフィルターを付設等するだけでカラー表示ができる点
・  装置が薄型である点
等、ＣＲＴに比べて優れた点が多々あり、ＣＲＴに代わる表示装置として注目を浴びている。
【０００３】
かかるプロジェクター装置では、光源から光が照射される部位は温度が上昇し、冷却しなければ種々の不具合が生じてしまう。例えば、偏光板が溶けてしまったり、光変調デバイスの性能が劣化してコントラストが悪くなるなど、表示性能や信頼性が低下してしまうおそれがある。
【０００４】
そこで、上述のようなプロジェクター装置では、外部から空気を取り入れるための吸気口や冷却ファンを設けて、光が照射される部位に外部の空気を流して、温度上昇を防止するようにされている。
【０００５】
【発明が解決しようとする課題】
ところで、上述のように外部空気を取り入れるプロジェクター装置の場合、外部からのホコリの進入を防ぐべくフィルターが各所に配置されているが、該ホコリの侵入を完全には阻止できなかった（例えば、細かなホコリはフィルターを通り抜けて進入してしまうし、ファンを駆動していないような場合には排気口から逆流して進入してくることもあるし、吸気口や排気口以外の隙間から進入してくることもある。）。そして、装置内部に侵入したホコリが光変調デバイス等に付着すると、スクリーンに投影されてしまって画質が損なわれてしまうという問題があった。なお、フィルターの目を細かくしてホコリの進入を防ぐことも考えられるが、そのようにすると空気の流れが悪くなり、冷却効率が低下してしまう等のおそれがある。
【０００６】
そこで、本発明は、異物の付着に伴う画質劣化を防止するプロジェクター装置を提供することを目的とするものである。
【０００７】
【課題を解決するための手段】
本発明は上記事情を考慮してなされたものであり、光源と、光を変調する光変調手段と、を備え、前記光源から出射されて前記光変調手段にて変調された光を投射するプロジェクター装置において、前記光変調手段へ送風するファンと、前記光変調手段と前記ファンとの間に設けられ、前記ファンからの風の一部が通過すると共に通路面積が漸次小さくなっているノズルと、を有し、
前記光変調手段を冷却する場合には、前記ファンからの前記ノズルを通過しない低速の風が前記光変調手段へ吹き付けられ、前記光変調手段の異物を除去する場合には、前記ファンからの前記ノズルを通過しない低速の風と、前記ノズルを通過した高速の風とが前記光変調手段へ吹き付けられることを特徴とする。
【０００８】
【発明の実施の形態】
以下、図１及び図２を参照して、本発明の実施の形態について説明する。
【０００９】
本実施の形態に係るプロジェクター装置は、図１に示すように、光源１と、光を変調する光変調手段２と、を備えており、光源１から出射されて光変調手段２にて変調された光を投射するように構成されている。そして、光源１からの光が照射される部位（図では光変調手段２）に冷却のために比較的低速の風Ｗ２を吹き付ける冷却用送風手段３と、光源１からの光が照射される部位（図では光変調手段２）に異物除去のために比較的高速の風Ｗ１を吹き付ける異物除去用送風手段４と、を備えている。なお、これらの送風手段３，４からの風はオン・オフできるように構成しておくと良い。例えば、前記異物除去用送風手段４は、
・  光投射が開始される時に自動的に起動され、一定時間経過後に自動的に休止されるようにしたり、
・  光投射がされている間、間欠的にオンされるようにしたり、
・  或いは、オン・オフのタイミングを自由に調整できるようにしておくと良い。
【００１０】
ところで、冷却用送風手段３としてはファンを挙げることができる。他方の異物除去用送風手段４は、専用のファン（冷却用送風手段としてのファンとは別のファン）を設けて高速回転させるようにしても良いが、冷却用送風手段３としてのファンＦを共用し、該ファンＦの前面にノズルＮを配置して該ファンＦからの風を高速化するようにしても良い。このようなノズルＮを設けた場合には、該ノズルＮを開閉するバルブ５を設け、該バルブ５によって異物除去用送風手段４からの風をオン・オフするようにすると良い。
【００１１】
一方、光変調手段２としては液晶パネルやＤＭＤ等を挙げることができ、透過型であっても反射型であっても良い。
【００１２】
本実施の形態に係るプロジェクター装置は前面投射型（つまり、光投射される側からスクリーンを見るタイプ）であっても背面投射型（つまり、光投射される側とは反対の側からスクリーンを見るタイプ）であっても良い。
【００１３】
次に、本実施の形態の効果について説明する。
【００１４】
本実施の形態によれば異物除去用送風手段４によって光源１からの光が照射される部位に比較的高速の風を吹き付けることができ、該部位の異物を除去することができる。その結果、異物がスクリーンに投影されてしまうことを低減でき、該異物の投影に伴う画質劣化を回避できる。
【００１５】
また、光投射が開始されて一定時間が経過した後に前記異物除去用送風手段４を休止するようにした場合には、通常駆動時において騒音（高速風の吹き付けに起因する騒音）を防止でき、高速風による局部冷却に起因する画質劣化（デバイス表面の温度変化による特性の変化）を回避することができる。
【００１６】
さらに、冷却用送風手段３及び異物除去用送風手段４でファンを共用した場合には、ファンを別々に２つ設ける場合に比べて装置構造を簡単にできる。
【００１７】
【実施例】
以下、実施例に沿って本発明を更に詳細に説明する。
【００１８】
（実施例１）
本実施例では、図１に示すプロジェクター装置を作製した。
【００１９】
このプロジェクター装置は、光源１と、光を変調する液晶パネル（光変調手段）２と、を備えている。このうち、光源１の一側にはリフレクタ１０が配置されていて、光源１からの光を液晶パネル２の側に反射するようになっている。
【００２０】
なお、符号１１は、熱線や紫外線をカットするためのカットフィルタを示し、符合１２は、凸レンズであるコンデンサレンズを示す。また、符号１３は、光を反射する反射ミラーを示し、符号１４は、液晶パネル２からの光を拡大する投射レンズを示す。さらに、符号Ｃはプロジェクター装置のケースを示し、符号１５はスクリーンを示す。また、符号２０はケースＣに開口された吸気口を示し、符号２１は、外部空気中からほこりを除去するためのほこり補足フィルタを示す。
【００２１】
ところで、この補足フィルタ２１に対向するようにファンＦが配置されており、該ファンＦに対向するようにノズルＮが配置されている。このノズルＮは、ファン側に開口された吸気口の方が液晶パネル側に開口された排気口に比べて大きく開口されると共にその通路面積が漸次小さくなるように構成されている。つまり、ファンＦからの風は、
・  その一部が、ノズルＮを通過することによって圧縮され高速化されて液晶パネル２に勢い良く吹き付けられ（符号Ｗ１参照）、
・  残りが、ノズルＮを通過せずに低速のまま液晶パネル２に吹き付けられる（符号Ｗ２参照）、
ようになっている。すなわち、本実施例においては、ファンＦは、冷却用送風手段として機能する他、ノズルＮとの組み合わせによって異物除去用送風手段としても機能する。
【００２２】
一方、このノズルＮの吸気口を開閉するようにバルブ５を配置し、プロジェクター装置を起動させた直後には吸気口を開口させて高速風Ｗ１を吹き付け、定常駆動状態では該吸気口を閉塞して高速風Ｗ１を止めるようにした（図２参照）。
【００２３】
次に、本実施例の作用効果について説明する。
【００２４】
装置を起動させると、光源１から出射された光は、一部はリフレクタ１０にて反射された上で、熱線・紫外線カットフィルタ１１にて発熱の原因となる光成分が除去され、コンデンサレンズ１２、反射ミラー１３を経て液晶パネル２に到達する。そして、この液晶パネル２にて光変調され、投射レンズ１４にて拡大されてスクリーン１５に投射される。
【００２５】
一方、光源１が点灯されると、ファンＦが起動され、装置外部の空気が吸気口２０から取り込まれて液晶パネル２に吹き付けられる。なお、プロジェクター装置を始動した直後は、図１に示すようにバルブ５が開かれて、ファンＦからの風がノズルＮに導入される。これにより、ノズルＮに導入された風は、液晶パネル２の表面に勢い良く吹き付けられて該表面に付着しているような異物は吹き飛ばされる。
【００２６】
そして、プロジェクター装置が始動状態から定常駆動状態に移行すると、バルブ５が駆動されてノズル吸気口を閉塞し、ノズルからの風Ｗ１は停止される。
【００２７】
本実施例によれば、異物の投影に伴う画質劣化を回避できた。
【００２８】
【発明の効果】
以上説明したように、本発明によると、異物除去用送風手段によって光源からの光が照射される部位に比較的高速の風を吹き付けることができ、該部位の異物を除去することができる。その結果、異物がスクリーンに投影されてしまうことを低減でき、該異物の投影に伴う画質劣化を回避できる。
【００２９】
また、光投射が開始されて一定時間が経過した後に前記異物除去用送風手段を休止するようにした場合には、通常駆動時において騒音（高速風の吹き付けに起因する騒音）を防止でき、高速風による局部冷却に起因する画質劣化（デバイス表面の温度変化による特性の変化）を回避することができる。
【００３０】
さらに、冷却用送風手段及び異物除去用送風手段でファンを共用した場合には、ファンを別々に２つ設ける場合に比べて装置構造を簡単にできる。
【図面の簡単な説明】
【図１】本発明に係るプロジェクター装置の構造の一例を示す模式図。
【図２】異物除去用風を休止するときの様子を説明するための模式図。
【符号の説明】
１              光源
２              液晶パネル（光変調手段）
３              冷却用送風手段
４              異物除去用送風手段
Ｆ              ファン（冷却用送風手段、異物除去用送風手段）
Ｎ              ノズル（異物除去用送風手段）
【図１】
0003977054.tif 000002
【図２】
0003977054.tif 000003